(57)【要約】【課題】ユーザの望む印刷を確実に効率よく行うことができる印刷装置を提供する。【解決手段】印刷装置は、画像データを基に印刷を行う印刷手段と、撮影された画像の画像データを入力させる入力手段（Ｓ１１）と、画像データに画像処理を行う画像処理手段（Ｓ１２、Ｓ１６）と、移動する撮影対象物の移動量が所定の値以上となったか否かのイベント、および静止している撮影対象物に所定の値以上の変化があったか否かのイベントのうちの少なくともいずれか一つを含む所定のイベントを設定させる設定手段（Ｓ１３）と、画像データを格納する格納手段（Ｓ１４）と、入力手段により入力された画像データに対して、設定手段により設定された所定のイベントが発生したか否かを判断する判断手段（Ｓ１５）と、判断手段により画像データに所定のイベントが発生したと判断すれば、画像データを格納手段に格納し、所定のイベントに対応する画像データを基に印刷を行うよう印刷手段を制御する制御手段（Ｓ１７）とを備える。【選択図】図２
2015186172.tif 000002
【特許請求の範囲】
【請求項１】
画像データを基に印刷を行う印刷手段と、
撮影された画像の画像データを入力させる入力手段と、
画像データに画像処理を行う画像処理手段と、
移動する撮影対象物の移動量が所定の値以上となったか否かのイベント、および静止している撮影対象物に所定の値以上の変化があったか否かのイベントのうちの少なくともいずれか一つを含む所定のイベントを設定させる設定手段と、
画像データを格納する格納手段と、
前記入力手段により入力された画像データに対して、前記設定手段により設定された前記所定のイベントが発生したか否かを判断する判断手段と、
前記判断手段により画像データに前記所定のイベントが発生したと判断すれば、前記画像データを前記格納手段に格納し、前記所定のイベントに対応する画像データを基に印刷を行うよう前記印刷手段を制御する制御手段とを備える、印刷装置。
【請求項２】
前記制御手段は、前記判断手段による判断を行う前に、入力された前記画像データに前記画像処理手段による画像処理を行うよう制御する、請求項１に記載の印刷装置。
【請求項３】
前記制御手段は、前記印刷手段を作動させる前に、印刷する前記画像データに前記画像処理手段による画像処理を行うよう制御する、請求項１または２に記載の印刷装置。
【請求項４】
前記画像処理は、画像の回転、画像の拡大、画像の縮小、画像の明暗補正、画像のノイズ除去、画像のエッジ処理、および前記複数の画像の集約のうちの少なくともいずれか一つの処理を含む、請求項１〜３のいずれかに記載の印刷装置。
【請求項５】
前記制御手段は、前記イベントの発生の前後の画像データも印刷するよう前記印刷手段を制御する、請求項１〜４のいずれかに記載の印刷装置。
【請求項６】
撮影対象物の画像を撮影する撮影手段を備える、請求項１〜５のいずれかに記載の印刷装置。
【請求項７】
撮影対象物の画像を撮影する撮影装置と、
画像データを基に印刷を行う印刷手段、撮影された画像の画像データを入力させる入力手段、画像データに画像処理を行う画像処理手段、移動する撮影対象物の移動量が所定の値以上となったか否かのイベント、および静止している撮影対象物に所定の値以上の変化があったか否かのイベントのうちの少なくともいずれか一つを含む所定のイベントを設定させる設定手段、画像データを格納する格納手段、前記入力手段により入力された画像データに対して、前記設定手段により設定された前記所定のイベントが発生したか否かを判断する判断手段、および前記判断手段により画像データに前記所定のイベントが発生したと判断すれば、前記画像データを前記格納手段に格納し、前記所定のイベントに対応する画像データを基に印刷を行うよう前記印刷手段を制御する制御手段を備える印刷装置とを含む、印刷システム。
【発明の詳細な説明】
【技術分野】
【０００１】
この発明は、印刷装置、および印刷システムに関するものであり、特に、撮影した画像の印刷を行う印刷装置、および印刷システムに関するものである。
【背景技術】
【０００２】
昨今、セキュリティの強化の観点から、防犯カメラや監視カメラを用いて、ビルのドア付近や室内を撮影し、撮影した画像を観察して、不審者等の有無を確認することが行われている。防犯カメラにより撮影された画像は、画像データとしてサーバー等の記憶装置に格納され、後に解析等されるために用いられる。しかし、画像データとして格納された画像データを全て調べるには、長時間を要する場合が多い。
【０００３】
ここで、防犯カメラや監視カメラにより撮像した画像について、印刷画像の取込時刻（撮像時刻）を印刷物上で確認するために、画像を取り込んだ時刻を文字情報として合成して出力する技術が、特開２００６−１１５１３８号公報（特許文献１）に開示されている。特許文献１には、予め定めた設定時間を計測する計測部と、設定時間が経過した時点の入力画像を取り込む画像取込部と、設定時間が経過した時点での時刻を取り込む時刻取込部と、画像取込部で取り込んだ入力画像に、時刻取込部で取り込んだ時刻を文字情報として合成する合成処理部とを有する画像形成装置が開示されている。
【先行技術文献】
【特許文献】
【０００４】
【特許文献１】特開２００６−１１５１３８号公報
【発明の概要】
【発明が解決しようとする課題】
【０００５】
特許文献１においては、予め定めた設定時間が経過した時点で画像を取り込んで、画像を取り込んだ時刻を文字情報として合成して印刷することとしている。しかし、このような特許文献１に開示の技術では、予め設定した時間が経過すれば必ず印刷を行うため、ユーザの求めない不必要な印刷を行ってしまう場合もある。また、ユーザは、撮影対象物に何らかの変化があった場面での撮影対象物の状況を知りたいものであるが、撮影している間に撮影対象物に何か変化が起きた場合でも、予め設定した時間内にその変化がなくなれば、出力された印刷物を見てもその変化を把握することができない場合もある。すなわち、特許文献１における技術においては、必ずしもユーザの望む印刷を行っている訳ではなく、また、このような構成は、出力用紙の無駄を生ずる場合も多く、好ましくない。
【０００６】
この発明の目的は、ユーザの望む印刷を確実に効率よく行うことができる印刷装置を提供することである。
【０００７】
この発明の他の目的は、ユーザの望む印刷を確実に効率よく行うことができる印刷システムを提供することである。
【課題を解決するための手段】
【０００８】
この発明に係る印刷装置は、画像データを基に印刷を行う印刷手段と、撮影された画像の画像データを入力させる入力手段と、画像データに画像処理を行う画像処理手段と、移動する撮影対象物の移動量が所定の値以上となったか否かのイベント、および静止している撮影対象物に所定の値以上の変化があったか否かのイベントのうちの少なくともいずれか一つを含む所定のイベントを設定させる設定手段と、画像データを格納する格納手段と、入力手段により入力された画像データに対して、設定手段により設定された所定のイベントが発生したか否かを判断する判断手段と、判断手段により画像データに所定のイベントが発生したと判断すれば、画像データを格納手段に格納し、所定のイベントに対応する画像データを基に印刷を行うよう印刷手段を制御する制御手段とを備える。
【０００９】
このような印刷装置によると、移動する撮影対象物の移動量が所定の値以上となったか否かのイベント、および静止している撮影対象物に所定の値以上の変化があったか否かのイベントのうちの少なくともいずれか一つを含む設定された所定のイベントが発生したと判断すれば、画像データを格納手段に格納し、所定のイベントに対応する画像データを基に画像の印刷を行う。そうすると、ユーザの要求する印刷を所定のイベントとして設定して、ユーザの望む印刷を確実に行うことができる。また、ユーザの望まない不要な印刷を行うことがない。また、この場合、画像データに所定のイベントが発生したと判断すれば、画像データを格納手段に格納するため、例えば、格納手段に格納したイベント発生時やイベント発生前後の画像データについて、一定時間を経過した後に消去せず、残すよう構成し、イベントが発生した際に、印刷物と共に格納された画像データを用いてユーザが容易に比較等を行うことができる。したがって、ユーザの望む印刷を確実に効率よく行うことができる。
【００１０】
ここで、イベントとは、比較対象となる基準のデータと比較して、撮影対象物の画像データに何らかの変化が生じることをいい、例えば、基準の画像データに対しての撮影対象物として認識した画像データの一致や不一致、動いている画像の移動量が基準となる移動量の数値データに対して変化すること等をいう。なお、イベントについては、移動する撮影対象物の移動量が所定の値以上となったか否かのイベント、および静止している撮影対象物に所定の値以上の変化があったか否かのイベントのうちの少なくともいずれか一つを含むものである。
【００１１】
この発明の他の局面においては、印刷システムは、撮影対象物の画像を撮影する撮影装置と、画像データを基に印刷を行う印刷手段、撮影された画像の画像データを入力させる入力手段、画像データに画像処理を行う画像処理手段、移動する撮影対象物の移動量が所定の値以上となったか否かのイベント、および静止している撮影対象物に所定の値以上の変化があったか否かのイベントのうちの少なくともいずれか一つを含む所定のイベントを設定させる設定手段、画像データを格納する格納手段、入力手段により入力された画像データに対して、設定手段により設定された所定のイベントが発生したか否かを判断する判断手段、および判断手段により画像データに所定のイベントが発生したと判断すれば、画像データを格納手段に格納し、所定のイベントに対応する画像データを基に印刷を行うよう印刷手段を制御する制御手段を備える印刷装置とを含む。
【００１２】
このような印刷システムは、ユーザの望む印刷を効率的に行うことができる。
【発明の効果】
【００１３】
このような印刷装置、および印刷システムによると、移動する撮影対象物の移動量が所定の値以上となったか否かのイベント、および静止している撮影対象物に所定の値以上の変化があったか否かのイベントのうちの少なくともいずれか一つを含む設定された所定のイベントが発生したと判断すれば、画像データを格納手段に格納し、所定のイベントに対応する画像データを基に画像の印刷を行う。そうすると、ユーザの要求する印刷を所定のイベントとして設定して、ユーザの望む印刷を確実に行うことができる。また、ユーザの望まない不要な印刷を行うことがない。また、この場合、画像データに所定のイベントが発生したと判断すれば、画像データを格納手段に格納するため、例えば、格納手段に格納したイベント発生時やイベント発生前後の画像データについて、一定時間を経過した後に消去せず、残すよう構成し、イベントが発生した際に、印刷物と共に格納された画像データを用いてユーザが容易に比較等を行うことができる。したがって、ユーザの望む印刷を確実に効率よく行うことができる。
【図面の簡単な説明】
【００１４】
【図１】この発明の一実施形態に係る印刷装置をデジタル複合機に適用した場合のデジタル複合機の構成を示すブロック図である。
【図２】この発明の一実施形態に係る印刷システムを用いて印刷を行う場合の処理の流れを示すフローチャートである。
【図３】監視カメラが撮影している画像を示す概略図である。
【図４】監視カメラが撮影した画像に対して画像処理を行った画像を示す図である。
【図５】家屋の前を横切って自動車が通過しようとする画像を示す概略図である。
【図６】家屋の外形が自動車の一部によって遮られた状態の画像に対して画像処理を行った画像を示す図である。
【図７】拡大した画像を印刷した印刷物を示す図である。
【図８】集約印刷を行った印刷物を示す図である。
【図９】監視カメラで撮影される画像の一例を示す概略図である。
【図１０】ドアノブ付近を拡大して示す図である。
【発明を実施するための形態】
【００１５】
以下、この発明の実施の形態を説明する。まず、この発明の一実施形態に係る印刷装置の構成について説明する。図１は、この発明の一実施形態に係る印刷装置をデジタル複合機に適用した場合のデジタル複合機の構成を示すブロック図である。
【００１６】
図１を参照して、この発明の一実施形態に係る印刷装置としてのデジタル複合機１１は、デジタル複合機１１全体の制御を行う制御部１２と、デジタル複合機１１側から発信する情報やユーザの入力内容を表示する表示画面２１を含み、印刷部数や階調性等の画像形成の条件や電源のオンオフを入力させる操作部１３と、セットされた原稿を自動的に読み取り部へ搬送するＡＤＦ（Ａｕｔｏ  Ｄｏｃｕｍｅｎｔ  Ｆｅｅｄｅｒ）２２を含み、原稿の画像を読み取る画像読み取り部１４と、トナーを用いて現像を行う現像器２３を含み、読み取った画像やネットワーク２５を介して送信された画像データを基に画像を形成する画像形成部１５と、送信された画像データや入力された画像形成条件等のデータの格納を行う格納手段としてのハードディスク１６と、公衆回線２４に接続され、ファクシミリ送信やファクシミリ受信を行うファクシミリ通信部１７と、ネットワーク２５と接続するためのネットワークインターフェース部１８とを備える。なお、デジタル複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）や現像剤によって形成された可視化像を転写する用紙を搬送する用紙搬送部、複数の用紙を収納する用紙カセット等を備えるが、これらについては、図示および説明を省略する。また、図１中の矢印は、制御信号や制御、画像に関するデータの流れを示している。
【００１７】
デジタル複合機１１は、画像読み取り部１４により読み取られた原稿を用いて画像形成部１５において画像を形成することにより、複写機として作動する。また、デジタル複合機１１は、ネットワークインターフェース部１８を通じて、ネットワーク２５に接続されたコンピュータ２６ａ、２６ｂ、２６ｃから送信された画像データを用いて、画像形成部１５において画像を形成することにより、プリンターとして作動する。すなわち、画像形成部１５は、要求された画像を、画像データを基に印刷する印刷手段として作動する。また、デジタル複合機１１は、ファクシミリ通信部１７を通じて、公衆回線２４から送信された画像データを用いて、ＤＲＡＭを介して画像形成部１５において画像を形成することにより、また、画像読み取り部１４により読み取られた原稿の画像データを、ファクシミリ通信部１７を通じて公衆回線２４に画像データを送信することにより、ファクシミリ装置として作動する。すなわち、デジタル複合機１１は、画像処理に関し、複写機能、プリンター機能、ファクシミリ機能等、複数の機能を有する。さらに、各機能に対しても、詳細に設定可能な機能を有する。
【００１８】
また、この発明の一実施形態に係る印刷システム２７は、上記したデジタル複合機１１と、撮影対象物の画像を撮影する撮影手段としての監視カメラ２８とを含む。監視カメラ２８は、例えば、屋外の所定の箇所やビルのドアの前付近の画像を撮影対象物として撮影する。監視カメラ２８は、基本的には、所定の箇所に固定されて取り付けられており、ネットワーク２５に無線で接続されている。監視カメラ２８は、ネットワーク２５を介して、撮影した画像をデジタル複合機１１や、ネットワーク２５に接続されるコンピュータ２６ａ〜２６ｃに送信することができるよう構成されている。すなわち、撮影した画像データがデジタル複合機１１に入力され、この画像データを基に画像の印刷が行われる。
【００１９】
次に、図１に示すデジタル複合機１１を含む印刷システム２７を用いて印刷を行う場合について、説明する。図２は、印刷システム２７を用いて印刷を行う場合の処理の流れを示すフローチャートである。
【００２０】
図１および図２を参照して、ネットワーク２５を介して監視カメラ２８で撮影した画像がデジタル複合機１１に入力される（図２において、ステップＳ１１、以下、「ステップ」を省略する）。
【００２１】
ここで、監視カメラ２８が撮影している画像の構成について、簡単に説明する。図３は、監視カメラ２８が撮影している画像を示す概略図である。図３を参照して、監視カメラ２８が撮影する撮影対象物としての画像３１は、横に樹木３２が複数植えられている家屋３３の全体像である。監視カメラ２８は、いわゆる定点カメラであり、ある箇所に固定されている。そして、所定の時間、例えば晩の９時から朝の９時まで１２時間、樹木３２を含めた家屋３３の全体像の画像を撮影している。デジタル複合機１１に入力される画像３１は、図３に示す画像３１である。
【００２２】
次に、入力された画像の画像処理を行う（Ｓ１２）。図４は、監視カメラが撮影した画像に対して画像処理を行った画像を示す図である。図４を参照して、画像３１に対し、樹木３２に該当する領域の画像をカット、すなわち、消去すると共に、家屋３３の外形３５のみを表すように画像処理を行っている。この場合、この家屋３３の外形３５のみを表した画像３４を、イベントが発生していない状態の画像データとして予め設定する（Ｓ１３）。具体的には、設定する基準データとして、ハードディスク１６に格納する。この場合、操作部１３による入力等により、設定を行う。
【００２３】
その後、監視カメラ２８により撮影を行う。監視カメラ２８により撮影され、画像処理が行われた画像３１について、例えば、数秒間から１分程度、ハードディスク１６に格納する（Ｓ１４）。そして、撮影された画像３１については、例えば、格納してから１分経過後、自動的に消去する。
【００２４】
ここで、イベントについては、家屋３３の前に何かが通ったことをイベントと設定する。この場合、撮影している家屋３３の外形３５の全てが検出されない状態が発生すれば、その時を家屋３３の前に何かが通ったイベントが発生したと判断する。この場合のイベントは、静止している撮影対象物に所定の値以上の変化があったか否かのイベントに相当する。
【００２５】
次に、図５に示すように、家屋３３の前に一台の自動車３６が通った場合を考える。図５は、家屋３３の横方向、具体的には紙面左側から紙面右側に向かって、家屋３３の前を横切って自動車３６が通過しようとする画像を示す概略図である。図５に示す状態から数秒経過後、自動車３６は、家屋３３の前を通過する。この場合、撮影対象物として撮影され、画像処理された画像は、図６に示すように、家屋３３の外形３５が、自動車３６の一部、具体的には、自動車３６の進行方向側のボディの一部によって、家屋３３の外形３５の一部が遮られたものとなる。なお、図６は、家屋３３の外形３５が自動車３６の一部によって遮られた状態の画像に対して画像処理を行った画像を示す図である。
【００２６】
そうすると、デジタル複合機１１は、この一部外形３５が遮られた家屋３３を示す画像処理された画像データと、図４に示す基準データとして設定された画像データ、具体的には、家屋３３の前に何も存在していない状態の画像処理された画像データとを比較し、変化があったことを検知する。すなわち、イベントが発生したと判断する（Ｓ１５において、ＹＥＳ）。ここで、制御部１２は、判断手段として作動する。
【００２７】
イベントが発生したと判断した後、印刷を行うのに先立って、印刷する画像の画像処理を行う（Ｓ１６）。この場合の画像処理については、変化があった部分、具体的には、自動車３６の位置する部分の拡大を行っている。そして、画像処理を行って拡大した画像について、印刷を実施する（Ｓ１７）。図７は、拡大した画像を印刷した印刷物を示す図である。図７を参照して、印刷物４１に印刷された画像４２は、家屋３３と自動車３６の位置する部分が拡大されて画像処理されている。このような印刷物４１の画像４２であると、ユーザは、ユーザの望む情報、例えば、横切ったものが何であるか、自動車３６であると認識した場合に自動車３６を運転している者が誰であるか、さらには、自動車３６の車種は何か等の情報を得ることが容易になる。
【００２８】
ここで、イベントが発生した場合に、その時の画像の印刷に併せて、イベントの発生の前後の印刷も行う。この場合、上記したようにハードディスク１６において、イベントの発生前後の画像も一時的に格納されているため、この格納された画像を自動的に消去する前に印刷を行う。この場合、イベントの発生前の画像からイベントの発生後の複数の画像について、集約して印刷を行う。
【００２９】
図８は、この場合の集約印刷を行った印刷物を示す図である。図８を参照して、印刷物４６は、４つの画像４７ａ、４７ｂ、４７ｃ、４７ｄを集約して印刷した印刷物４６である。４つの画像４７ａ〜４７ｄはそれぞれ、撮影した時間が異なるものである。具体的には、左上の画像４７ａ、右上の画像４７ｂ、左下の画像４７ｃ、右下の画像４７ｄの順に、時間が経過しているものである。イベントが発生したと判断したのは、右上の画像４７ｂの時であるが、この場合、１秒程度遡って撮影した画像４７ａ、イベント発生後１秒経過した画像４７ｃ、イベント発生後２秒経過した画像４７ｄが集約して印刷されている。このような印刷物４６を見ると、ユーザは、ユーザの望む情報、例えば、自動車３６が家屋３３の前に停車したか否か、自動車３６の速度はどの程度だったのか等の情報を容易に入手することができる。
【００３０】
このようにして、所定の時間が経過するまで印刷を行う（Ｓ１８）。このようなデジタル複合機１１を含む印刷システム２７によれば、移動する撮影対象物の移動量が所定の値以上となったか否かのイベント、および静止している撮影対象物に所定の値以上の変化があったか否かのイベントのうちの少なくともいずれか一つを含む設定された所定のイベントが発生したと判断すれば、画像データをハードディスク１６に格納し、所定のイベントに対応する画像データを基に画像の印刷を行う。そうすると、ユーザの要求する印刷を所定のイベントとして設定して、ユーザの望む印刷を確実に行うことができる。また、ユーザの望まない不要な印刷を行うことがない。また、この場合、画像データに所定のイベントが発生したと判断すれば、画像データをハードディスク１６に格納するため、ハードディスク１６に格納したイベント発生時やイベント発生前後の画像データについて、一定時間を経過した後に消去せず、残すよう構成し、イベントが発生した際に、印刷物と共に格納された画像データを用いてユーザが容易に比較等を行うことができる。したがって、ユーザの望む印刷を確実に効率よく行うことができる。
【００３１】
この場合、判断を行う前に、判断する画像データに画像処理を行っているため、イベントが発生したか否かを判断することを容易にすることができ、処理の向上を図ることができる。また、印刷を実施する前に、印刷する画像データに画像処理を行っているため、よりユーザの望む印刷を行うことができる。
【００３２】
また、この場合、イベントの発生の前後の画像データも印刷する構成であるため、イベントの発生の前後の画像についても、印刷によりユーザが容易に比較等することができ、よりユーザの望む印刷を行うことができる。
【００３３】
なお、行う画像処理については、画像の回転、画像の拡大、画像の縮小、画像の明暗補正、画像のノイズ除去、画像のエッジ処理、および複数の画像の集約のうちの少なくともいずれか一つの処理を含むよう構成してもよい。
【００３４】
また、イベント発生時に印刷を行うと共に、格納した画像データを用いて、予め登録されていたユーザの所有する携帯電話への電子メールやファクシミリでの送信、ネットワーク２５に接続されたコンピュータ２６ａ〜２６ｃに画像データを送信するよう構成してもよい。
【００３５】
なお、上記の実施の形態においては、集約印刷を行うこととしたが、これに限らず、イベントの前後の画像を一枚ずつ印刷するようにしてもよい。ここで、イベントの前後の画像を印刷するに際し、例えば、イベントの発生前から１０秒間隔で印刷し、イベントが発生する直前から直後までは１秒間隔で印刷するよう構成してもよい。
【００３６】
また、イベントについては、静止している撮影対象物に所定の値以上の変化があったか否かのイベントとしたが、これに限らず、移動する撮影対象物の移動量が所定の値以上となったか否かのイベントとしてもよい。すなわち、イベントについては、移動する撮影対象物の移動量が所定の値以上となったか否かのイベント、および静止している撮影対象物に所定の値以上の変化があったか否かのイベントのうちの少なくともいずれか一つを含むものである。
【００３７】
次に、イベントが、静止している撮影対象物に所定の値以上の変化があったか否かのイベントである場合について説明する。図９は、この場合の監視カメラ２８で撮影される画像の一例を示す概略図である。図９を参照して、監視カメラ２８は、室内のドア付近を撮影対象物として撮影するものである。ここで、監視カメラ２８に撮影された画像５１には、ドア開閉用のドアノブ５３が取り付けられたドア５２が撮影されている。ドア５２に取り付けられたドアノブ５３については、細長い棒状の部材から構成されており、このドアノブ５３を所定の角度回転させて、ドア５２の開閉を行うものである。具体的には、通常、すなわち、ドア５２が閉じている状態の時は、水平方向にドアノブ５３が位置している。そして、ドア５２を開く際には、ドアノブ５３を下方向に所定の角度回転させて押し進めることによりドア５２を開く。
【００３８】
図１０は、ドアノブ５３付近を拡大して示す図である。図１０を参照して、ドアノブ５３を図１０中の矢印Ｄの方向に回転させ、ドア５２を押し進めることにより、ドア５２を開くことができる。ここで、ドア５２については、図１０中の点線で示す状態より大きくドアノブ５４を回転させないと、具体的には、約６０度以上ドアノブ５３を回転させないと、ドア５２が開かない構成である。すなわち、例えば、ドアノブ５３を回転させた結果、図１０中の一点鎖線で示す約３０度程度のドアノブ５５の位置であると、ドア５２は開かない。ここで、イベントとしては、撮影された画像データにより、ドアノブ５３が、点線に示す位置まで回転されたことを判断すると、ドア５２が開かれたというイベントが発生したと判断し、画像データをハードディスク１６に格納し、この画像の印刷を行う。すなわち、この場合のイベントは、移動する撮影対象物であるドアノブ５３の移動量である回転量が所定の値、すなわち点線で示す位置に相当する値以上となったか否かのイベントとなる。そして、一点鎖線で示すドアノブ５５の位置であると、イベントは発生していないと判断する。この場合、ドア５２全体を撮影した画像を印刷することにより、ユーザの望む情報、例えば、ドア５２の開閉による室内への入室または室外への退室を行った人物が誰なのか等を把握することが容易になる。
【００３９】
なお、上記の実施の形態においては、イベントが発生したか否かを判断する前に、画像の画像処理を行うこととしたが、これに限らず、画像処理を行わずに、そのままの画像で判断することにしてもよい。また、イベントが発生したと判断し、その後印刷を行う前に、印刷する画像に対して画像処理を行うこととしたが、これに限らず、画像処理を行わずに、印刷をするよう構成してもよい。
【００４０】
また、イベントとして、基準の画像データに対しての撮影対象物として認識した画像データの一致や不一致をイベントとしても良いし、動いている画像の移動量が基準となる移動量の数値データに対して変化することをイベントとしてもよい。この場合、例えば、設定する数値データとして、ある速度で移動している物体の速度について、ある数値以上の速度となれば、イベントが発生したとする速度の数値データを設定させるようにしてもよい。すなわち、設定するデータとしては、画像データに限ったものではない。
【００４１】
なお、上記の実施の形態においては、格納手段としてのハードディスクは、デジタル複合機に備えられていることとしたが、これに限らず、ハードディスクは、印刷装置の外部、例えば、ネットワーク上に配置されるサーバーに設けられるよう構成してもよい。また、監視カメラについて、画像処理を行う機構やイベントの有無の発生を判断する機構、画像データを格納する機構、イベントを設定させる機構等を備えるよう構成してもよい。また、デジタル複合機が、監視カメラ等の撮影手段を備える構成としてもよい。
【００４２】
また、上記の実施の形態においては、画像を印刷する際に、印刷を行った日付や時刻等を付加して印刷することにしてもよい。
【００４３】
なお、上記の実施の形態においては、画像をデジタル複合機内に収容された用紙に印刷することとしたが、これに限らず、例えば、ＯＨＰ（Ｏｖｅｒｈｅａｄ  Ｐｒｏｊｅｃｔｅｒ）シート等、他の非印刷媒体に印刷する場合についても適用される。
【００４４】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４５】
この発明に係る印刷装置、および印刷システムは、トナーや用紙等の消耗品の節約等が要求される場合に、特に有効に利用される。
【符号の説明】
【００４６】
１１  デジタル複合機、１２  制御部、１３  操作部、１４  画像読み取り部、１５  画像形成部、１６  ハードディスク、１７  ファクシミリ通信部、１８  ネットワークインターフェース部、２１  表示画面、２２  ＡＤＦ、２３  現像器、２４  公衆回線、２５  ネットワーク、２６ａ，２６ｂ，２６ｃ  コンピュータ、２７  印刷システム、２８  監視カメラ、３１，３４，４２，４７ａ，４７ｂ，４７ｃ，４７ｄ，５１  画像、３２  樹木、３３  家屋、３５  外形、３６  自動車、４１，４６  印刷物、５２  ドア、５３，５４，５５  ドアノブ。
【図１】
2015186172.tif 000003
【図２】
2015186172.tif 000004
【図３】
2015186172.tif 000005
【図４】
2015186172.tif 000006
【図５】
2015186172.tif 000007
【図６】
2015186172.tif 000008
【図７】
2015186172.tif 000009
【図８】
2015186172.tif 000010
【図９】
2015186172.tif 000011
【図１０】
2015186172.tif 000012